(57)【特許請求の範囲】
【請求項１】
高含水比の泥土を注入して袋詰め脱水を行うための袋であって、
透水性を有する布帛からなり、前記泥土を内部に注入するための注入口を有する袋体と、
前記袋体の外面に沿って設けられ、内部に植生材料を収容可能であるとともに、外部に開放状態となるように形成された開口部を有するポケット部と、を備え、
当該ポケット部の少なくとも一部が、ラッセル編みの伸縮可能な網状材料により形成されており、
前記ポケット部内に収容された前記植生材料から生育する植物が、前記ポケット部の網状材料の目開き部を貫通して生育することが可能であり、
前記ポケット部の外側に前記ポケット部を覆うように配設されるカバー部材を更に備えることを特徴とする植生用脱水袋。
【請求項２】
前記ポケット部は、前記袋体の外面に沿ってシート状部材が取り付けられることで形成されていることを特徴とする請求項１に記載の植生用脱水袋。
【請求項３】
前記ポケット部が、前記袋体の一端部において形成され、前記開口部が前記袋体の他端側に向かって開口するように設けられていることを特徴とする請求項１又は２に記載の植生用脱水袋。
【発明の詳細な説明】
【技術分野】
【０００１】
本発明は、泥土の脱水及び植生形成のために用いられる植生用脱水袋に関する。
【背景技術】
【０００２】
近年、土木分野においては環境に調和した構造物が要求されており、例えば河川の護岸工事においても道路法面の工事のように緑化ができるようなものが望まれている。
【０００３】
従来、道路法面の工事などにおいて緑化を目的とする植生用土嚢袋が用いられており、特許文献１には、植土充填用袋片に、肥効持続期間が長い緩効性肥料を入れた肥料内蔵用袋片を取り付けた植生用袋が開示されている。これは、緩効性肥料により植土充填用袋片内の植土内の植物の種子を順調に発芽生育させるためのものである。また、特許文献２には、植生用袋の一部を二重構造とし、植生用袋の中で緩効性肥料が偏ることを抑制した植生用袋が開示されている。
【０００４】
一方、河川や湖沼等には高含水比の泥土が堆積しており、このような泥土を護岸工事等において有効利用できれば、コスト的に有利となる。これを可能にする技術として、高含水比の泥土を織物などからなる袋に注入して脱水処理し、盛土や埋土として用いる袋詰め脱水処理工法が従来から開発されている。この袋詰め脱水処理工法において使用される袋は、注入した泥土を漏らさず、かつ脱水処理に適したフィルター性能を確保できるようになっている。
【０００５】
緑化を伴う河川の護岸工事等を行う場合において、前述のようなフィルター性能を有する脱水用袋を使用し、河川に堆積している泥土とともに肥料や種子を入れて植生護岸を形成することが考えられるが、袋の目開きが小さ過ぎて植物の根や茎が袋を貫通し難く、植物の育成が困難となることが多い。
【０００６】
このような課題を解決する植生可能な脱水袋として、特許文献３に開示されたものがある。この脱水用袋は、非腐食性繊維部と腐食性繊維部とからなっており、高含水比泥土を袋詰め脱水した後、放置しておくと、腐食性繊維部の腐食が進行することによって大きな目開き部が袋に形成されるので、この目開き部から植物が育成し、安定した植生ができる。
【０００７】
【特許文献１】特開昭５６−９５２５号公報
【特許文献２】実公昭６２−１９７１０号公報
【特許文献３】特開平１０−１８２６１号公報
【発明の開示】
【発明が解決しようとする課題】
【０００８】
しかしながら、特許文献３に記載された植生可能な脱水袋の材料である腐食性繊維はポリエステル繊維等と比べると一般的に高コストであり、また同じ太さのポリエステル繊維と比較すると強度が少し低い場合が多い。そのため、要求される強度を確保するためには使用する糸量を増やす必要があり、さらにコスト的に不利になる。また、腐食性繊維部の腐食が進行することによって大きな目開き部が形成されるため、袋内に保持されて植物が育成される基盤となる土等の植生基盤材が、降雨や河川の氾濫等により安定した植生が形成される前に流出してしまう虞もある。
【０００９】
本発明は、上記実情に鑑みることにより、腐食性繊維を使用することなく低コストで作製できる植生用脱水袋であって、植物の生育を妨げにくく、かつ、植生基盤材の流出を抑制することが可能な植生用脱水袋を提供することを目的とする。
【課題を解決するための手段及び効果】
【００１０】
本発明は、泥土の脱水及び植生形成のために用いられる植生用脱水袋に関する。そして、本発明に係る植生用脱水袋は、上記目的を達成するために以下のようないくつかの特徴を有している。すなわち、本発明の植生用脱水袋は、以下の特徴を単独で、若しくは、適宜組み合わせて備えている。
【００１１】
上記目的を達成するための本発明に係る植生用脱水袋における第１の特徴は、高含水比の泥土を注入して袋詰め脱水を行うための袋であって、透水性を有する布帛からなり、前記泥土を内部に注入するための注入口を有する袋体と、前記袋体の外面に沿って設けられ、内部に植生材料を収容可能であるとともに、外部に開放状態となるように形成された開口部を有するポケット部と、を備え、当該ポケット部の少なくとも一部が、ラッセル編みの伸縮可能な網状材料により形成されており、前記ポケット部内に収容された前記植生材料から生育する植物が、前記ポケット部の網状材料の目開き部を貫通して生育することが可能であり、前記ポケット部の外側に前記ポケット部を覆うように配設されるカバー部材を更に備えることである。
【００１２】
この構成によると、高含水比の泥土を注入する袋である袋体の収容空間と、植物を収容する部分のあるポケット部の収容空間とが分離して形成される。当該袋体は注入された泥土に含まれる水を外部に通すことで脱水し、袋体内に残った土等の植生基盤材を保持する。したがって、降雨や河川の氾濫等による袋体内の植生基盤材の流出を抑制することが可能となる。また、ポケット部内に収容された植生材料に含まれる植物はポケット部を貫通して生育する。したがって、当該植物の生育が妨げられにくく植生効率が向上する。また、ポケット部を外面に沿った状態として設けることにより、当該ポケット部に植生材料を充填する作業を容易に行うことが可能となる。さらに、当該植生用脱水袋が河川護岸等に積み重ねて設置された場合、隣接する他の植生用脱水袋内に当該植物の根等が進入して生育し、それぞれの袋が一体化しやすくなるため、積み重ねた状態における各植生用脱水袋のずれを抑制することができ、安定した植生地盤が構築可能である。また、腐食性繊維を使用することなく作製可能であるため、作製コストを低減することができる。
さらに、ポケット部の開口部が伸びて広がるため植生材料を詰め込みやすくなる。また、ポケット部内の植物は網状材料の目開き部を貫通して生育することができるため、生育が妨げられにくくなる。また、網状材料の伸縮性により目開き部を押し広げることが容易に可能となるため、目開き部を貫通して生育した植物が更に目開き部を広げる方向に生育することを阻害しにくくなる。
また、ポケット部の外側に前記ポケット部を覆うように配設されるカバー部材を更に備えているため、例えば河川護岸のような水辺に当該植生用脱水袋を設置してもポケット部に直接川の流れが当たらないので、流木等によってポケット部が損傷するのを防ぎ、形成された植生部が流水の作用によって法面が削り崩されることを抑制することができる。
【００１３】
また、本発明に係る植生用脱水袋における第２の特徴は、前記ポケット部は、前記袋体の外面に沿ってシート状部材が取り付けられることで形成されていることである。
【００１４】
この構成によると、袋体外面とシート状部材とでポケット部の収容空間が形成され、植生用脱水袋の構造が単純になる。したがって、植生用脱水袋を容易に作製することが可能となる。また、袋体とは別部材であるシート状部材を用いてポケット部を形成することで、ポケット部の構造の選択の幅が広がり、より植生に適した構造を容易に付加することが可能となる。
【００１７】
また、本発明に係る植生用脱水袋における第３の特徴は、前記ポケット部が、前記袋体の一端部において形成され、前記開口部が前記袋体の他端側に向かって開口するように設けられていることである
【００１８】
この構成によると、当該植生用脱水袋を積み重ねる際に、ポケット部を設けた端部が露出するようにずらして積み重ねることで、ポケット部からの植物の生育を妨げることなく、一様な法面状の植生部を容易に形成できる。また、ポケット部のみを露出するように段積みすることで、最上段以外の袋体は外部から紫外線等の影響を直接受けず、袋体の劣化を防ぐことが可能となる。したがって、紫外線等による劣化防止のための覆土等の作業をかなり省くことができ施工工程を短縮することが可能となる。
【発明を実施するための最良の形態】
【００２１】
以下、本発明を実施するための最良の形態について図面を参照しつつ説明する。ここでは本発明を用いて河川護岸に植生護岸を造成する場合について述べる。
【００２２】
図１は、本発明の実施形態に係る植生用脱水袋１を示す図である。植生用脱水袋１は、透水性を有する筒状織物（布帛）の両端部を縫製により閉塞して形成した袋体２と、当該袋体２の閉塞された一端部に設けられたポケット部７とを備えている。当該ポケット部７は袋体２の外面に沿って取り付けられたシート状部材３により形成されており、開口部３ｂからシート状部材３と袋体２の外側表面との間の収容空間に植生材料を収容可能である。ここで、植生材料とは、植物の種、苗木、地下茎等の生育して植生を形成する植物を含む材料をいい、当該植物と土、肥料等とを混合した材料や、小さな苗木と土を小袋に入れたもの等も含まれる。また、袋体２の上面には、袋体２内部に泥土等の植生基盤材料を注入できるように筒状の注入口５が取り付けられており、閉塞された両端部には、棒状の吊り具が挿通可能なリング状の吊り部６が繊維性ベルト等によって形成されている。尚、植生用脱水袋１は、シート状部材３の外面を覆うように取り付けられたカバー部材４をさらに備えている。
【００２３】
袋体２としては、例えばポリエステル繊維の経糸（１１００Ｔ／２）、緯糸（１１００Ｔ／４）で織成された直径１．１ｍ、長さ２．５ｍ、目付５２７ｇ／ｍ２の筒状織物からなり、内容積が１．３ｍ３、耐圧力が０．１ＭＰａであるものを使用できる。この袋体２に泥土が注入されると、袋体２は膨張して、高さが８００ｍｍ程度の扁平な形状になる。この袋体２の目開きは、ノギス等では実測できないくらい小さくなっており、注入された高含水比の泥土に含まれる水分のみが当該織物を通過することが可能であり、袋体２に泥土を注入して放置することにより泥土の脱水を行うことができる。尚、筒状織物は、２枚の織布を重ね合わせてその縁部を縫製し筒状に形成したものを使用可能であり、容易に作製することができる。また、複数本の並列した経糸と、この経糸に対してスパイラル状に連続して織り込まれた緯糸とからなる、周方向に継ぎ目のない筒状織物を用いることも可能である。この場合、当該筒状織物は高い破断圧力を有しているため、ポンプ等の注入手段により泥土を加圧注入して膨張させても容易に破断せず、ポンプ等を用いた大規模な施工を行う際に好適である。また、筒状織物の両端部を閉塞する際に、両端部を折り曲げた状態で縫製することにより、縫製の隙間から袋体２内の泥土が流出することを防ぐことができる。
【００２４】
図２は、袋体２の上面に取り付けられた注入口５の概要図である。注入口５としては、小径部５ａと、当該小径部５ａから径が拡大しながら延びる部分である大径部５ｂとを有する異径筒状織物を使用することができる。この異径筒状織物としては、例えばポリエステル繊維製で、小径部５ａの直径が１６０ｍｍ、大径部５ｂの接続側端部の直径が２９０ｍｍのものを使用できる。注入口５は、袋体２に形成された注入用の穴と注入口５の筒穴とが連続するように大径部５ｂの端部５ｃを袋体２の穴周縁部２ｃに縫製することで袋体２に取り付けられている。尚、注入口５の取り付けは、縫製による場合に限らず、接着剤による接着によっても行うことができる。このように取り付けることで、注入時の泥土の流れに偏りが起こりにくくなり袋体２内の全体に均一に泥土を充填することができる。また、注入口５における小径部５ａ側の端部が袋体２の表面から３００ｍｍ程度突出するように設計されており、泥土を注入するためのホース５０を小径部５ａに取り付けることができ、注入作業を効率よく行うことができる。
【００２５】
図３は、植生用脱水袋１のシート状部材３及びカバー部材４の取り付け方法を説明する断面図である。図４は、袋体２にシート状部材３を取り付けたときの平面図である。両端部２ａ・２ｂを縫製により閉塞されている袋体２の一端２ａ側を覆うように、シート状部材３及びカバー部材４は取り付けられる（図３参照）。シート状部材３は、袋体２の中央側に位置する一辺（開口部３ｂとなる一辺）以外の縁部（図４の斜線部３ａ）を袋体２に縫製・接着等により固定され、他端２ｂに向かった開口部３ｂを有するポケット部７を形成する。同様にしてカバー部材４も、袋体２の中央側の一辺以外の縁部を袋体２に縫製・接着等により固定される。尚、シート状部材３は上述のように縁部３ａのみを固定する場合に限定されず、シート中央の一部を固定することにより植生材料を収容可能な空間を保持しながら強固に固定することも可能である。また、ポケット部７に、ポケット部７が収容可能な容量の限界まで植生材料を充填しない場合もあるが、この場合、シート状部材３における袋体２の中央側に位置する一辺に、袋体２表面に貼付可能である面ファスナーを設けておき、ポケット部７の開口部３ｂを閉じられるようにしておくことで、ポケット部７内の植生材料の脱落を防ぎ、安定した状態で保持することができる。また、カバー部材４は、シート状部材３を覆うように固定されていればよく、固定位置は上述のように限定されるものではない。尚、ポケット部７の大きさは植生用脱水袋１の設置状態に合わせて適宜変更することが可能で、植生用脱水袋１の設置時に露出する個所を効果的に覆うことができるよう、シート状部材３およびカバー部材４の大きさを変更する。
【００２６】
ポケット部７を形成するシート状部材３としては、例えばポリエステル繊維製のラッセル編みからなる網状のシート材料であって、目開きが約５ｍｍのものを使用できる。この場合、ラッセル編みのため、平織りのシート材料よりも構造上、伸縮性が良好で、当該目開き部を更に押し広げることができるようになっており、貫通した茎が太く育つことが可能である。尚、シート状部材３の幅（袋体周方向の長さ）は、袋体２に泥土を注入して袋体が膨張した後においても植生材料を収容することができる収容空間が存在するよう、ゆとりを持った長さに設定されている。また、シート状部材３の袋体軸方向の長さは例えば７００ｍｍのものが使用できる。当該長さは、河川護岸の斜面に沿って植生用脱水袋１を積層したときに、当該シート状部材３が取り付けられた部分のみ露出することが可能な長さにすることが望ましい。尚、シート状部材３としては、目開きがかなり小さい（例えば１ｍｍ以下の）シート材料に孔加工を行って少なくとも目開きよりも大きい（例えば５ｍｍ程度の）孔を複数設けたようなものを用いることも可能である。
【００２７】
カバー部材４としては、例えばシート状部材３よりも剛性があり、目開きも大きい格子状のシート材料を使用できる。このような材料の一つとしてポリエステル繊維製のジオグリッドが好適である。
【００２８】
上述したように構成された植生用脱水袋１は、ポケット部７に例えばヨシの地下茎を含む肥料等の植生材料が収容された後、袋体２の注入口５にポンプの注入ホース５０をバンド等の締め付け手段で固定して河川の浚渫土（高含水比の泥土）が袋体２の中に充填され（図２参照）、充填された浚渫土は脱水される。浚渫土の量が少ない場合は、浚渫土とは別に土を準備し、加水調整して使用しても良い。尚、植生材料として小さな苗木等をいれた小袋を用いる場合は、ポケット部７の中で小袋が動いてしまうことが考えられるので、ポケット部７内に滑り止め用のシート材（例えばヤシ殻シート）を敷いておき、その上に小袋を置くと滑りが抑えられ、位置が大きくずれることがない。また、苗木の茎の太さに合わせ、シート状部材３には適宜孔加工等を施して目開きを調整し、茎が生育しやすい状態を確保する。その後、植生用脱水袋１は、袋体２の端部に形成された４点の吊り部６を用いてクレーンで吊り上げられて搬送され、河川護岸に積み重ねて設置される。尚、袋体２内の浚渫土の脱水は河川護岸等への設置前に行う場合に限らず、水分を含んだ状態で河川護岸に設置した後に行うことも可能である。
【００２９】
図５に、積み重ねて設置された状態の植生用脱水袋１の断面図を示す。植生用脱水袋１は、袋体２内に浚渫土１０を保持した状態で、ポケット部７が形成されていない端部２ｂを河川護岸１００の傾斜面に沿わせて積み重ねられることにより、袋体２の他端に設けられたシート状部材３及びカバー部材４を露出させた状態で設置される。ポケット部７に収容された植生材料１１内に含まれる植物は、シート状部材３及びカバー部材４を貫通して生育し、当該植生用脱水袋１の露出した表面に植生を形成する。
【００３０】
図６に、河川護岸１００に植生用脱水袋１を積み重ねて形成された法面全体の断面図を示す。また、図７、図８にそれぞれ当該法面の平面図、正面図を示す。尚、図６は図８の正面図におけるＸ−Ｘ断面図である。
【００３１】
植生用脱水袋１は、栗石及び砕石等の埋戻材１０２により固められた地盤上に積層されており、当該植生用脱水袋１と河川護岸１００との隙間は砂等の埋戻材１０３により充填されている。また、積層した植生用脱水袋１の最上端における袋体２の露出部は土１０４によって覆われている。河川１０１の流れ方向においては、植生用脱水袋１はそれぞれ隣接した状態で並び（図７参照）、それらで形成される法面の両端には小口止ブロック１０５が設置され、植生用脱水袋１のずれを防止している。尚、図５で示したように、当該法面における河川１０１側に露出する部分は、河川１０１側からカバー部材４、シート状部材３、袋体２の順で形成されており、河川の１０１の流れが直接袋体２に作用することはない。
【００３２】
本実施形態に係る植生用脱水袋１は、上述した構成を有することにより、腐食性繊維を使用することなく低コストで作製可能である。
【００３３】
また、袋体２内に注入された高含水比の泥土に含まれる水は外部に通り抜け、当該泥土は脱水され、袋体２内に残った土は外部に流出せずに保持される。したがって、河川護岸等に設置された後、降雨や河川の氾濫等により袋体２内の土が流出することを抑制できる。
【００３４】
また、ポケット部７内に収容された植物は目開き部から外部に生育するため、当該植物の生育は妨げられにくく植生効率が向上する。また、ポケット部７を形成するシート状部材３が、伸縮可能な網状材料により形成されているため、シート状部材３が伸びて植生材料を詰め込みやすくなるとともに、網状材料の伸縮性により目開き部を押し広げることが容易に可能となるため、目開き部を貫通して伸びた植物の茎等が太く生長することを阻害しにくくなる。また、ポケット部７は時間経過により目開きが変化するものではないため、生育速度の異なる植物を用いる場合においても使用可能である。
【００３５】
また、シート状部材３を袋体２に沿って取り付けることでポケット部７を形成でき、容易に作製可能であるとともに、ポケット部７内の空間と袋体２内の空間が袋体２を形成する材料のみにより区画されているため、ポケット部７内の植物の根等が袋体２内にも進入しやすくなり、より植生効率が向上する。また、袋体２とは別部材であるシート状部材３を用いてポケット部７を形成することで、変形抵抗が少なく容易に開くことが可能な目開き部など、植生に適した構造を脱水袋に容易に付加することができる。
【００３６】
さらに、積み重ねて設置された他の植生用脱水袋内に当該植物の茎や根等が進入して生育し、それぞれの袋が一体化しやすくなるため、積み重ねた状態における各植生用脱水袋のずれを抑制することができる。また、ポケット部７は袋体２と一体に形成されており、植生材料を収容する袋と植生基盤材料を脱水するための袋とを別々に積み重ねて植生を図る場合と異なり、施工後に植生部分が脱落することもなく、景観を維持することが容易に可能である。
【００３７】
また、ポケット部７を、袋体２の一端部において形成し、開口部３ｂが袋体２の他端側に向かって開口するように設けておくことにより、植生用脱水袋１を積み重ねる際に、ポケット部７を設けた端部が露出するようにずらして積み重ねることで（図５参照）、ポケット部７からの植物の生育を妨げることなく、一様な法面状の植生部を容易に形成できる。また、ポケット部７のみを露出するように段積みすることで、袋体２は外部から紫外線等の影響を直接受けず、袋体２の劣化を防ぐことが可能となる。したがって、耐候性向上のために行われていた植生マットや土で表面を覆う作業等は、積層した植生用脱水袋１の最上端１０４（図６参照）のみ行えばよく、工程を短縮することが可能となる。
【００３８】
また、ポケット部７の外側にポケット部７を覆うように配設されるカバー部材４により、河川護岸のような流水のある場所に植生用脱水袋１を設置してもポケット部７に直接川の流れが当たらないので、流木等によってポケット部７が損傷するのを防ぎ、形成された植生部が流水の作用によって削り崩されることを抑制することができる。
【００３９】
以上、本発明の実施形態について説明したが、本発明は上述の実施の形態に限られるものではなく、特許請求の範囲に記載した限りにおいて様々に変更して実施することができるものである。
【図面の簡単な説明】
【００４０】
【図１】本発明の実施形態に係る植生用脱水袋を示す図である。
【図２】図１に示す植生用脱水袋の注入口の概要図である。
【図３】図１に示す植生用脱水袋のポケット部の取り付け方法を説明する断面図である。
【図４】図１に示す植生用脱水袋のポケット部の取り付け方法を説明する平面図である。
【図５】実施形態に係る植生用脱水袋の設置状態を示す詳細断面図である。
【図６】実施形態に係る植生用脱水袋の施工例の断面図である。
【図７】実施形態に係る植生用脱水袋の施工例の平面図である。
【図８】実施形態に係る植生用脱水袋の施工例の正面図である。
【符号の説明】
【００４１】
１    植生用脱水袋
２    袋体
３    シート状部材
３ｂ  開口部
４    カバー部材
５    注入口
７    ポケット部
１０  泥土
１１  植生材料
１００  河川護岸
１０１  河川
【図１】
0004723392.tif 000002
【図２】
0004723392.tif 000003
【図３】
0004723392.tif 000004
【図４】
0004723392.tif 000005
【図５】
0004723392.tif 000006
【図６】
0004723392.tif 000007
【図７】
0004723392.tif 000008
【図８】
0004723392.tif 000009